(57)【要約】      （修正有）【課題】興趣性に富んだ筒容器を提供する。【解決手段】筒容器１は、外筒側周部１１が非透明材料からなる外筒部材１０と、外筒部材の内側に入れ子状に設けられ、内筒側周部２１が透明材料からなる有底の内筒部材２０と、内筒部材の内側に入れ子状に設けられ、内容物収容側周部３１が透明材料からなる有底の内容物収容部材３０と、を具備し、内筒部材及び内容物収容部材の各透明部分が外部に露出することなく外筒部材の外筒側周部によって被覆された全被覆状態と、外筒部材の下端から内筒部材及び内容物収容部材の各透明部分が外部に露出した第１露出状態と、外筒部材の下端から内筒部材の透明部分のみが外部に露出した第２露出状態と、のうちいずれかに状態変換自在である。【選択図】図２
0003217106.tif 000002
【実用新案登録請求の範囲】
【請求項１】
非透明材料からなる側周部を有し、下端部に内カール部が設けられた無底で紙製の外筒部材と、
前記外筒部材の内側に入れ子状に設けられ、透明材料からなる側周部を少なくとも含み、上端部に前記外筒部材の内カール部に係止する係止部が設けられた有底の内筒部材と、
前記内筒部材の内側に設けられ、透明材料からなる側周部を少なくとも含み、内容物が収容される有底の内容物収容部材と、
を具備した筒容器であって、
前記内筒部材及び前記内容物収容部材の透明な側周部が、外部に露出することなく前記外筒部材の側周部によって被覆された全被覆状態と、
前記内筒部材と前記内容物収容部材とが前記外筒部材に対して下方へ引き出されることで、前記内筒部材及び前記内容物収容部材の透明な側周部が前記外筒部材の下端から外部に露出した第１露出状態と、
前記内容物収容部材の上端部が前記外筒部材の上端開口側から把持された状態で前記内筒部材のみが前記外筒部材に対して下方へ引き出されることで、前記内筒部材の透明な側周部のみが前記外筒部材の下端から外部に露出し、かつ、前記内容物収容部材の透明な側周部が外部に露出することなく前記外筒部材の側周部によって被覆された第２露出状態と、
のうちいずれかに状態変換自在とされており、
前記第１露出状態及び前記第２露出状態にあっては、前記外筒部材の内カール部と、前記内筒部材の係止部とが係止している
ことを特徴とする筒容器。
【請求項２】
前記内筒部材の下端部には、非透明部材からなる底部が設けられており、
前記全被覆状態にあっては、前記底部の側周部が前記外筒部材の下端部から外部に露出しており、
前記第１露出状態において、前記内容物収容部材が前記底部に乗載して前記内筒部材の透明な側周部の最下位置と、前記内容物収容部材の透明な側周部の最下位置とが実質的に同一な高さ位置となっている
請求項１に記載の筒容器。
【請求項３】
前記外筒部材の上端開口部には、
前記内容物収容部材の上端部と当接可能な、当該外筒部材及び当該内容物収容部材の径方向に沿って幅広な上端当接部が設けられている
請求項１又は請求項２に記載の筒容器。
【考案の詳細な説明】
【技術分野】
【０００１】
本考案は、興趣性に富んだ筒容器に関する。
【背景技術】
【０００２】
従来から、単に内容物を収容するために限らず、遊び心に富んだ容器が提供されていることは知られている。例えば考案者は、特許文献１に開示されているような、底パーツに対して容器本体を周方向に回動させることによって見栄えが変化する容器を既に提案している。
【先行技術文献】
【特許文献】
【０００３】
【特許文献１】特開２０１７−１４１０５４号公報
【考案の概要】
【考案が解決しようとする課題】
【０００４】
そして本考案者は、より一層興趣性の高い容器を着想するに至った。
【０００５】
本考案は、興趣性に富んだ筒容器を提供することを目的とする。
【課題を解決するための手段】
【０００６】
本考案は、非透明材料からなる側周部を有し、下端部に内カール部が設けられた無底で紙製の外筒部材と、前記外筒部材の内側に入れ子状に設けられ、透明材料からなる側周部を少なくとも含み、上端部に前記外筒部材の内カール部に係止する係止部が設けられた有底の内筒部材と、前記内筒部材の内側に設けられ、透明材料からなる側周部を少なくとも含み、内容物が収容される有底の内容物収容部材と、を具備した筒容器であって、前記内筒部材及び前記内容物収容部材の透明な側周部が、外部に露出することなく前記外筒部材の側周部によって被覆された全被覆状態と、前記内筒部材と前記内容物収容部材とが前記外筒部材に対して下方へ引き出されることで、前記内筒部材及び前記内容物収容部材の透明な側周部が前記外筒部材の下端から外部に露出した第１露出状態と、前記内容物収容部材の上端部が前記外筒部材の上端開口側から把持された状態で前記内筒部材のみが前記外筒部材に対して下方へ引き出されることで、前記内筒部材の透明な側周部のみが前記外筒部材の下端から外部に露出し、かつ、前記内容物収容部材の透明な側周部が外部に露出することなく前記外筒部材の側周部によって被覆された第２露出状態と、のうちいずれかに状態変換自在とされており、前記第１露出状態及び前記第２露出状態にあっては、前記外筒部材の内カール部と、前記内筒部材の係止部とが係止していることを特徴とする筒容器である。
【０００７】
ここで、前記内容物収容部材は、前記内筒部材の内側に入れ子状に設けられ、透明材料からなる側周部を少なくとも含み、内容物が収容される有底の筒部材で構成されていてもよい。また、単数又は複数の透明な軟包装材で構成されていてもよい。なお、軟包装材とした場合、底が撓まない形態保持性がある構成が望ましく、例えばマチのあるいわゆるガゼットタイプであってもよい。
【０００８】
かかる構成にあっては、前記内容物収容部材内に収容された内容物が、前記第１露出状態にあっては外部から視認することができるが、前記第２露出状態にあっては外部から視認できなくなる。したがって、前記第１露出状態と前記第２露出状態とを外部から交互に見た看者は、手品のごとく内容物が消えてしまったかのように感じる。
【０００９】
また、前記内筒部材の下端部には、非透明部材からなる底部が設けられており、前記全被覆状態にあっては、前記底部の側周部が前記外筒部材の下端部から外部に露出しており、前記第１露出状態において、前記内容物収容部材が前記底部に乗載して前記内筒部材の透明な側周部の最下位置と、前記内容物収容部材の透明な側周部の最下位置とが実質的に同一な高さ位置となっている構成が提案される。
【００１０】
かかる構成とすることによって、前記内筒部材を前記外筒部材から下側へ引き出し易くなり、状態変換のための操作性が向上すると共に、内容物が底部に隠れて外部から見えなくなることがないため、内容物を外部から視認しやすくすることができる。
【００１１】
さらに、前記外筒部材の上端開口部には、前記内容物収容部材の上端部と当接可能な、当該外筒部材及び当該内容物収容部材の径方向に沿って幅広な上端当接部が設けられている構成が提案される。
【００１２】
かかる構成とすることにより、内容物収容部材を把持したときに前記内容物収容部材が前記外筒部材の上側から抜けてしまうことを防止することができ、第２露出状態とするための操作性がさらに向上する。
【考案の効果】
【００１３】
本考案は、収容された内容物が消えてしまったかのように見せることができ、興趣性に富んだ筒容器とすることができる効果がある。
【図面の簡単な説明】
【００１４】
【図１】全被覆状態にある筒容器を示し、（ａ）は正面図であり、（ｂ）は平面図である。
【図２】全被覆状態にある筒容器の縦断面図である。
【図３】第１露出状態にある筒容器を示し、（ａ）は正面図であり、（ｂ）は縦断面図である。
【図４】第２露出状態にある筒容器を示し、（ａ）は正面図であり、（ｂ）は縦断面図である。
【考案を実施するための形態】
【００１５】
以下に本考案を具体化した実施例を詳細に説明する。なお、本考案は、下記に示す実施例に限定されることはなく、適宜設計変更が可能である。
【００１６】
本実施例の筒容器１を図１，図２に従って説明する。
筒容器１は、無底で紙製の外筒部材１０を備えている。かかる外筒部材１０は、側周部である外筒側周部１１が非透明となっている。
【００１７】
また、図２に示すように、外筒部材１０における外筒側周部１１の下端部には、内カール部である外筒下内カール部１２が設けられている。また、外筒側周部１１の上端部にも、内カール加工された外筒上内カール部１３が設けられている。
【００１８】
さらに、外筒上内カール部１３の下側には、円環状の上端当接部１５が取り付けられている。なお、図１ｂ，図２に示すように、上端当接部１５は、外筒部材１０及び後述の内容物収容部材３０の径方向に幅広なリング部材で構成されている。
【００１９】
一方、図２に示すように、外筒部材１０の内側には、有底の内筒部材２０が入れ子状に配置されている。さらに詳述すると、内筒部材２０の側周部である内筒側周部２１はプラスチック製透明シートからなる透明材料で構成されており、内筒側周部２１の上端部には係止部２２が複数形成されている。なお、係止部２２は、内筒側周部２１に略コの字状に切り込まれた部位を外側に向かって切り起こして構成されている。
【００２０】
また、内筒部材２０の下端部には、紙製の部材からなる底部２３が設けられている。詳述すると、底部２３は、内筒側周部２１の下側に配された紙製の側周被覆部２４と、側周被覆部２４の下端部に支持される紙製円板状のベース部２５が取り付けられてなる。
【００２１】
また、底部２３の内部には、側周被覆部２４の高さと略等しい高さの上げ底台部２６が配置されている。
【００２２】
さらに、内筒部材２０の内側には、有底で筒状の内容物収容部材３０が入れ子状に配置されている。内容物収容部材３０は、側周部である内容物収容側周部３１と底部を備えており、この内容物収容側周部３１及び底部がプラスチック製透明シートからなる透明材料で構成されている。そして、内容物収容部材３０内に内容物Ｉが収容される。また、内容物収容側周部３１の上端部には、内カール加工された内容物収容カール部３２が設けられている。
【００２３】
次に、上記構成からなる筒容器１の使用形態について説明する。
【００２４】
筒容器１に内容物Ｉを収容して入れ物として機能させる場合、図１（ａ）に示したように外筒部材１０の上端開口に蓋体４０を被せた上で使用する。
【００２５】
加えて、筒容器１におけるマジック要素について説明する。
【００２６】
通常、上述の筒容器１は、図１，図２に示すように、外筒部材１０の下端から非透明の底部２３が突き出されており、外筒部材１０内に内筒部材２０及び内容物収容部材３０が収容されて透明な部位が外部に露出していない全被覆状態αとなっている。かかる状態においては、収容された内容物Ｉは外部から視認することができない。
【００２７】
一方、全被覆状態αにある筒容器１において、外筒部材１０に対して底部２３を掴んで下側に引き出すと、図３に示したように、内筒部材２０及び内容物収容部材３０が、外筒下内カール部１２と係止部２２とが当接する位置まで引き出される。このとき、内容物収容部材３０は、上げ底台部２６に乗載したまま内筒部材２０と同時に引き出される。
【００２８】
そして、内筒部材２０及び内容物収容部材３０が引き出された位置において、内筒部材２０及び内容物収容部材３０の各透明部分が、外筒部材１０の下端から外部に露出することになり、第１露出状態βとなる。なお、第１露出状態βにあっては、内容物収容部材３０内に収容された内容物Ｉが、透明な内筒側周部２１及び内容物収容側周部３１を介して外部から視認可能となる。また、このとき、透明な内筒側周部２１及び内容物収容側周部３１の最下位置は、実質的に同一な高さ位置となる。
【００２９】
また、一旦、筒容器１を全被覆状態αに戻した上で、外筒部材１０の上端開口部から指を差し入れ、内容物収容カール部３２を上端当接部１５に押し当てながら把持し、さらに内筒部材２０の底部２３を下方へ引き出すと、図４に示したように、内容物収容部材３０が外筒側周部１１に被覆されたまま、内筒部２０のみが下方へ引き出される。そうすると、内筒側周部２１のみが外部へ露出することになり、第２露出状態γとなる。ここで、第２露出状態γにあっては、外部からは第１露出状態βと同様に筒容器１の内部が露出しているように見えるが、内容物Ｉが収容されている内容物収容部材３０は外筒部材１０内に残るため、あたかも内容物Ｉが消えてしまったかのように見える。
【００３０】
かかる構成を備える筒容器１は、極めて興趣性の高い容器となる。
【００３１】
上記実施例において、各部の寸法形状は適宜自由に選択可能である。また、筒容器１を構成する非透明材料は、製造が容易であることから紙製であることが望ましいが、他の材料でもよい。同様に、透明材料としてはプラスチック製であることが望ましいが、他の材料でもよい。また、透明部分は筒部材において部分的に形成されていてもよい。
【００３２】
また、上端当接部１５は、切り欠きのない円環状である必要はなく、外筒部材１０の内周面に間欠的に形成された構造からなるものであってもよい。また、内容物収容部材３０の内容物収容カール部３２は必須のものではないが、操作性を高めるべく、手掛かり部分として設けられていることが望ましい。また、係止部２２は、上記実施例の形状に限定されず、例えば板片部材を内筒側周部２１の外周面に貼着して作製されたものでもよい。
【符号の説明】
【００３３】
１            筒容器
１０          外筒部材
１１          外筒側周部
１２          外筒下内カール部（内カール部）
１５          上端当接部
２０          内筒部材
２１          内筒側周部
２２          係止部
３０          内容物収容部材
３１          内容物収容側周部
α            全被覆状態
β            第１露出状態
γ            第２露出状態
【図１】
0003217106.tif 000003
【図２】
0003217106.tif 000004
【図３】
0003217106.tif 000005
【図４】
0003217106.tif 000006